(57)【要約】【課題】放送番組を丸録りしても、ある程度時間が経過すると、所望の録画番組が消されてしまうという課題があった。【解決手段】実施形態の録画装置は、複数の放送番組に係る映像信号を同時に受信し、第１のフォーマットで連続的に記録媒体に記録する第１の映像記録手段を備える。また、前記記録媒体に記録された複数の放送番組の中から指定された所定の番組を抽出し、少なくとも一部を再生する番組再生手段を備える。また、前記番組再生に連動して前記抽出された所定の番組に係る映像信号を第２のフォーマットに変換し、記録媒体に記録する第２の映像記録手段を備える。【選択図】  図３
2011239300.tif 000002
【特許請求の範囲】
【請求項１】
複数の放送番組に係る映像信号を同時に受信し、第１のフォーマットで連続的に記録媒体に記録する第１の映像記録手段と、
前記記録媒体に記録された複数の放送番組の中から指定された所定の番組を抽出し、少なくとも一部を再生する番組再生手段と、
前記番組再生に連動して前記抽出された所定の番組に係る映像信号を第２のフォーマットに変換し、記録媒体に記録する第２の映像記録手段を備える録画装置。
【請求項２】
前記第２のフォーマットへの変換は、ヘッダ情報の付与を含み、番組単位で記録される請求項１に記載の録画装置。
【請求項３】
前記第１のフォーマットで記録された複数の放送番組の内容を示す番組表を作成し、出力する番組表出力手段を備える請求項１または２に記載の録画装置。
【請求項４】
前記複数の放送番組の中から指定された所定の番組に係る映像信号を第１のフォーマットから第２のフォーマットに変換するフォーマット変換手段を備える請求項１乃至３に記載の録画装置。
【請求項５】
前記第２のフォーマットで記録媒体に記録される所定の番組に係る映像信号は、番組単位でファイルが作成される請求項１乃至４に記載の録画装置。
【請求項６】
前記第２のフォーマットで記録媒体に記録された所定の番組にはブックマークを設定可能である請求項１乃至５に記載の録画装置。
【請求項７】
所定の番組の録画予約が設定される録画予約設定手段と、
複数の放送番組に係る映像信号を同時に受信し、第１のフォーマットで連続的に記録媒体に記録する第１の映像記録手段と、
前記記録媒体に記録された複数の放送番組の中から前記録画予約された所定の番組に係る映像信号を抽出し、第２のフォーマットに変換して、記録媒体に記録する第２の映像記録手段を備える録画装置。
【請求項８】
前記第２のフォーマットへの変換は、ヘッダ情報の付与を含み、番組単位で記録される請求項７に記載の録画装置。
【請求項９】
前記録画予約された所定の番組が記録媒体に記録されたことを検出し、記録が検出された場合に第２のフォーマットへの変換が行われる請求項７または８に記載の録画装置。
【請求項１０】
複数の放送番組に係る映像信号を同時に受信し、第１のフォーマットで連続的に記録媒体に記録するステップと、
前記記録媒体に記録された複数の放送番組の中から指定された所定の番組を抽出し、少なくとも一部を再生するステップと、
前記番組再生に連動して前記抽出された所定の番組に係る映像信号を第２のフォーマットに変換し、記録媒体に記録するステップを備える録画方法。
【請求項１１】
所定の番組の録画予約が設定されるステップと、
複数の放送番組に係る映像信号を同時に受信し、第１のフォーマットで連続的に記録媒体に記録するステップと、
前記記録媒体に記録された複数の放送番組の中から前記録画予約された所定の番組に係る映像信号を抽出し、第２のフォーマットに変換して、記録媒体に記録するステップを備える録画方法。
【請求項１２】
映像を表示する表示装置と、
複数の放送番組に係る映像信号を同時に受信し、第１のフォーマットで連続的に記録媒体に記録する第１の映像記録手段と、
前記記録媒体に記録された複数の放送番組の中から指定された所定の番組を抽出し、少なくとも一部を前記表示装置に再生表示する番組再生表示手段と、
前記番組再生に連動して前記抽出された所定の番組に係る映像信号を第２のフォーマットに変換し、記録媒体に記録する第２の映像記録手段を備える映像表示装置。
【発明の詳細な説明】
【技術分野】
【０００１】
本発明の実施形態は、複数の放送番組を同時に受信し、記録する録画装置に関する。
【背景技術】
【０００２】
現在、複数の放送番組を同時に受信し、受信した複数の放送番組をＨＤＤ等の蓄積装置に連続的に記録する機能（丸録り）を備えた映像表示装置が実用化されている。
【０００３】
しかし、蓄積装置の容量には限りがあるため、丸録りされた映像であっても、古い時間に録画された映像データを消しながら新しい番組を録画する等の処理が必要である。
【０００４】
このため、所定時間が経過すると、蓄積装置に記録された所望の番組が消されてしまうという課題があった。
【先行技術文献】
【特許文献】
【０００５】
【特許文献１】特開2002-209168号公報
【発明の概要】
【発明が解決しようとする課題】
【０００６】
放送番組を丸録りした場合、ある程度時間が経過すると、所望の録画番組が消されてしまうという課題があった。
【課題を解決するための手段】
【０００７】
実施形態の録画装置は、複数の放送番組に係る映像信号を同時に受信し、第１のフォーマットで連続的に記録媒体に記録する第１の映像記録手段を備える。
また、前記記録媒体に記録された複数の放送番組の中から指定された所定の番組を抽出し、少なくとも一部を再生する番組再生手段を備える。
また、前記番組再生に連動して前記抽出された所定の番組に係る映像信号を第２のフォーマットに変換し、記録媒体に記録する第２の映像記録手段を備える。
【図面の簡単な説明】
【０００８】
【図１】実施形態に係わる録画装置を示すブロック図。
【図２】実施形態に係わる録画装置によって出力される、丸録りされた複数の番組の内容を表示する番組表（過去番組表）の一例を示す図。
【図３】実施形態に係わる録画装置に係り、丸録りされた複数の番組に係る映像信号からユーザに指定された所望の番組に係る映像信号が抽出され、フォーマット変換されて、番組単位で記録される一例を示す図。
【図４】実施形態に係わる録画装置に係り、丸録りされた複数の番組に係る映像信号から予約された番組に係る映像信号が抽出され、フォーマット変換されて、番組単位で記録される一例を示す図。
【図５】実施形態に係わる録画装置に係り、予約された番組を丸録りと同時に、番組単位で記録する一例を示す図。
【図６】実施形態に係わる録画装置に係り、丸録りされた複数の番組から、ユーザに指定された所定の番組を再生し、再生に連動して番組単位で記録する動作を示すフローチャート。
【図７】実施形態に係わる録画装置に係り、丸録りされた複数の番組から、録画予約された番組を番組単位で記録する動作を示すフローチャート。
【図８】丸録りされた複数の番組が、時間の経過とともに消去されたようすを示す概念図。
【発明を実施するための形態】
【０００９】
以下、図面を参照し、この発明の実施形態を説明する。
＜実施例１＞
図１は、実施形態に係わる録画装置を示すブロック図である。
符号１は映像表示装置（録画装置）、符号２はアンテナ、符号３ａ、３b、３c、３d、３e、３fはチューナ、符号４は信号処理部、符号５は映像処理部、符号６は音声処理部、符号７は表示処理部、符号８は表示装置、符号９はスピーカ、符号１０はバス、符号１１は制御部、符号１２はＭＰＵ、符号１３はＲＡＭ、符号１４はＲＯＭ、符号１５はフラッシュメモリ、符号１６は録画装置、符号１７は外部インターフェース、符号１８は外部記憶装置、符号１９は操作受信部、符号２０は操作機器（リモートコントローラ）、符号２１は送受信部、符号２２は録画番組表生成部、符号２３は番組表作成部、符号２６はインターネットである。
【００１０】
符号２５ａ、２５ｂは放送番組を放送する放送局である。放送番組は放送局２５ａ、２５ｂ等、複数の放送局から複数の番組が放送される。
アンテナ２は映像表示装置（録画装置）１に接続される。符号３ａ、３b、３c、３d、３e、３fはチューナである。ここでは複数のチューナが構成される。
複数の放送局２５ａ、２５ｂ等から放送波の形態で放送された複数の番組（放送信号）が、アンテナ２で受信され、チューナ３ａ、３b、３c、３d、３e、３fに送信される。チューナ３ａ、３b、３c、３d、３e、３fでは、複数の番組（放送信号）を選局受信し、信号処理部４へ出力する。
【００１１】
ここでは、制御部１１のＭＰＵ１２は、チューナ（３ａ、３b、３c、３d、３e、３f）、信号処理部４、映像処理部５、音声処理部６、表示処理部７、ＲＡＭ１３、ＲＯＭ１４、フラッシュメモリ１５、録画装置１６、外部インターフェース１７、操作受信部１９、操作機器（リモートコントローラ）２０、送受信部２１とそれぞれ、バス１０を介して接続され、これらを制御する。
【００１２】
信号処理部４は、チューナ３ａ、３b、３c、３d、３e、３fで選局され、同時（並列）に送信された複数の番組に係る映像信号に同時（並列）にデコード処理を施し、トランスポートストリーム（ＴＳ）のフォーマットで、録画装置１６へ映像信号を出力する。
【００１３】
録画装置１６は、ＨＤＤやＳＳＤ等の記録媒体を備えた大容量の録画装置（映像信号蓄積装置）であり、ここでは映像表示装置１の内部に構成される。
録画装置１６は、トランスポートストリーム（ＴＳ）のフォーマットで送信された映像信号を連続的に受信し、受信した複数の放送番組を全て、録画装置１６に録画する（丸録り）。
【００１４】
録画装置１６に丸録りされた放送番組を視聴する際は、後述する過去番組表から、ユーザが所定の番組を指定する。この指定された番組に係る映像信号が、丸録りされた映像信号の中から切り出され（抽出され）、表示装置８に表示され、視聴される。
【００１５】
過去番組表は制御部１１の録画番組表生成部２２で生成される。
ユーザに指定され、丸録りされた映像信号の中から切り出された（抽出された）映像信号は信号処理部４でデコード処理され、それぞれ音声信号と映像信号を抽出し、出力する。音声信号は音声処理部６に出力される。映像信号は映像処理部５に出力される。
【００１６】
音声処理部６は出力された音声信号にデコード処理を行い、スピーカ９へ出力する。スピーカ９はデコード処理された音声信号を受信し、音声に変換して出力する。
映像処理部５は出力された映像信号にデコード処理を行い、表示処理部７へ出力する。表示処理部７は色や表示位置等の表示処理を行い、表示装置８へ出力する。表示装置８は表示処理された映像信号を受信し、図示しない表示パネル等の表示部に表示する。
【００１７】
また、録画番組表生成部２２で生成された過去番組表は上記のように、表示装置８に表示される。
この実施の形態においては、外部インターフェース１７を介して、映像表示装置１の外部にＨＤＤやＳＳＤ等の記憶媒体を備える外部記憶装置１８が接続され、上記録画装置１６と同様に用いることが可能である。
【００１８】
また、操作受信部１９を介して、リモートコントローラやキーボード等の操作機器２０が接続され、映像表示装置１のユーザ操作が可能である。
また、送受信部２１を介して、インターネット２６に接続され、インターネット通信が可能である。
また、上記においては、チューナ３ａ、３b、３c、３d、３e、３fは丸録りに用いられる説明を行ったが、ＰＶＲ録画にも用いることが可能である。
図２は実施形態に係わる録画装置によって出力される、丸録りされた複数の番組の内容を表示する番組表（過去番組表）の一例を示す図である。
上記のように、丸録りされた複数の番組は既に放送され、録画されている。したがって、予約と区別するために、これらの番組の内容を表示する形式の表を過去番組表と呼ぶ。
【００１９】
この過去番組表は、上記のように、表示装置８に表示される。
符号３５は過去番組表表示の表示例である。
符号３７は現在の日時表示である。現在、12/18（水）ＰＭ９：１３であることを示している。
符号３２は日時欄である。符号３４ａ、符号３４ｂ、符号３４ｃ、符号３４ｄ、符号３４ｅ、符号３４ｆはそれぞれ日時表示である。
３４ａは12/12（木）ＡＭ９：００−１０：００時、３４ｂは12/12（木）ＡＭ１０：００−１１：００、３４ｃは12/12（木）ＡＭ１１：００−０：００、３４ｄは12/1３（金）ＰＭ０：００−１：００、３４ｅは12/1４（土）ＰＭ０：００−１：００、符号３４ｆは12/1５（日）ＰＭ０：００−１：００を示している。
【００２０】
符号３１はチャンネル欄である。符号３３ａ、符号３３ｂ、符号３３ｃ、符号３３ｄ、符号３３ｅ、符号３３ｆ、符号３３ｇ、符号３３ｈはそれぞれチャンネル表示である。
【００２１】
３３ａはチャンネルＷＷＷ、３３ｂはチャンネルアットテレビ、３３ｃはチャンネルＭＲＮＶ、３３ｄはチャンネルＣｉｎｅＶ、３３ｅはチャンネルＣｃｎｓ、３３ｆはチャンネルＴｂｃｓ、３３ｇはチャンネルＪＪＣＢ、３３ｈはチャンネルＮＴＶを示している。
【００２２】
また、これらのチャンネルは丸録りされた番組の動画表示をしている。
符号３６ａ、符号３６ｂ、符号３６ｃ、符号３６ｄ、符号３６ｅ、符号３６ｆは、符号３６ｇ、符号３６ｈは記録番組の動画表示である。
３６ａはチャンネルＷＷＷの動画表示、３６ｂはチャンネルアットテレビの動画表示、３６ｃはチャンネルＭＲＮＶの動画表示、３６ｄはチャンネルＣｉｎｅＶの動画表示、３６ｅはチャンネルＣｃｎｓの動画表示、３６ｆはチャンネルＴｂｃｓの動画表示、３６ｇはチャンネルＪＪＣＢの動画表示、３６ｈはチャンネルＮＴＶの動画表示である。
【００２３】
これらは例えば、デフォルトで指定された番組（例えば番組表各チャンネルの最上欄等）が表示される。
図８は丸録りされた複数の番組が、時間の経過とともに消去されたようすを示す概念図である。
上記のように、丸録りをしても、ＨＤＤ等の蓄積装置の容量には限りがあるので、時間の経過とともに、古い時間に録画したデータを消しながら新しい番組を録画する等の処理が必要である。
【００２４】
ここでは、３４ａ、３４ｂ、３４ｃに示す日時欄に丸録りされた複数の番組が、時間の経過とともに消去されている。
したがって、ユーザが所望する番組は、消される前に保存処理を行うことが望ましい。
図３は実施形態に係わる録画装置に係り、丸録りされた複数の番組に係る映像信号からユーザに指定された所望の番組に係る映像信号が抽出され、フォーマット変換されて、番組単位で記録される一例を示す図である。
【００２５】
チャンネル１、チャンネル２、チャンネル３、チャンネル４、チャンネル５が、上記のように丸録りされた複数の番組の例である。
ここでは、ユーザはチャンネル２の0:00から1:00時の番組を指定し、番組の再生が行われる。符号51は再生処理部である。ユーザに指定された所望の番組に係る映像信号（ＴＳ）が上記のように抽出され、映像表示装置（録画装置）１内部に構成される再生処理部51で再生処理が行われ、ユーザに指定された所望の番組が表示される。この実施の形態においては、必ずしも番組全部が再生される必要はなく、少なくともその一部が再生される。
【００２６】
また、符号５２はフォーマット変換手段、符号５３は番組単位のファイル作成／保存手段である。ここでは、ユーザに指定された所望の番組の再生に連動し、所望の番組の保存が行われる。
【００２７】
フォーマット変換手段５２は、上記のように抽出された所望の番組に係る映像信号（ＴＳ）を受信し、番組単位で記録（保存）できるようにヘッダ情報等を付加し、フォーマット変換を行い、フォーマット変換された映像信号を出力する。
【００２８】
番組単位のファイル作成／保存手段５３は、フォーマット変換された映像信号を受信し、番組単位でファイルを作成し、録画装置１６や外部記憶装置１８に記録（保存）する。
【００２９】
これにより、丸録りされた複数の番組から抽出された所望の番組を、自動的に、番組単位で保存することが可能になる。
この実施の形態においては、所望の番組を保存する場合において、複数チャンネルを同時録画しておいて、その中から所望の番組を切りだし、別のファイルとして保存する装置において、保存処理を再生と同時に行っている。
【００３０】
また、従来は、連続的録画のファイルフォーマットとその中の番組単位の録画ファイルフォーマットとではフォーマットが異なるために、フォーマット変換や暗号の付け替えなどのために時間がかかり、この間に録画番組が消されてしまう等の問題があったが、この実施の形態においては、上記のように構成することで、この問題を解消することが可能である。
【００３１】
すなわち、この実施の形態においては、連続録画（丸録り）した番組を試し再生をしている間に、保存を行い、あとでその番組をもう1度見たいという要求を満たすことが可能になる。
【００３２】
また、複数チャンネルを連続録画した場合、番組表形式や検索機能などを用い、ユーザが所定番組を選択し、録画番組を再生させることが可能である。
そして、その再生中には、連続録画フォーマットから、所定番組の部分を切り出し、復号して、コンテンツをデコードして表示を行うことで、再生処理を行う。
その際にフォーマット変換を行い、番組単位でファイル書き込みを行うことで、保存処理を行うことができる。
また、再生時に、ブックマーク等を手動で設定して、ファイルに反映させることも可能である。
＜実施例２＞
図４は実施形態に係わる録画装置に係り、丸録りされた複数の番組に係る映像信号から予約された番組に係る映像信号が抽出され、フォーマット変換されて、番組単位で記録される一例を示す図である。
【００３３】
符号５２はフォーマット変換手段、符号５３は番組単位のファイル作成／保存手段である点は上記と同一である。
まず、チャンネル１、チャンネル２、チャンネル３、チャンネル４、チャンネル５に示すように、複数の番組が丸録りされる。
また、ユーザにより、チャンネル２の0:00から1:00時の番組が予め、録画予約されている。この録画予約は、丸録りとは異なる、例えばＰＶＲの録画予約であっても良い。
【００３４】
そして、複数の番組の丸録りが実施された後に、録画予約された所望の番組に係る映像信号（ＴＳ）が抽出される。
フォーマット変換手段５２は、この予約によって抽出された所望の番組に係る映像信号（ＴＳ）を受信し、番組単位で記録（保存）できるようにヘッダ情報等を付加し、フォーマット変換を行い、フォーマット変換された映像信号を出力する。
【００３５】
番組単位のファイル作成／保存手段５３は、フォーマット変換された映像信号を受信し、番組単位でファイルを作成し、録画装置１６や外部記憶装置１８に記録（保存）する。
【００３６】
これにより、丸録りされた状態の複数の番組の中から、ユーザが録画予約した所望の番組を、自動的に、番組単位で保存することが可能になる。
また、映像表示装置（録画装置）１が、丸録り用チューナの他にＰＶＲ用チューナを構成する場合、丸録りとＰＶＲ録画が独立して行われることが一般的である。
この際、予約番組については、丸録りによる番組録画とＰＶＲ録画による番組録画の同時録画が行われることがある。すなわち、例えば、同じ番組の同時録画が重複して行われることがある。
【００３７】
しかし、この場合、例えばＭＰＵ１２やＲＡＭ１３、ＲＯＭ１４は上記両方の録画で同時に使用されるので、付加がかかる。また、結果的に丸録りによる録画番組は視聴されずに消され、無駄となることがあるが、この実施形態においては、同じ番組重複録画を防止し、無駄を軽減することが可能となる。
【００３８】
また、ＰＶＲ録画による録画予約の場合、例えば放送局側の都合で放送時間が変更された場合に対応できないことがある。この場合、丸録りされた複数の番組の中から、録画予約された番組を保存することで、この問題を軽減することが可能になる。
【００３９】
また、この保存処理は、予め録画予約しておき、番組の録画時間が終わった時に保存処理を行うことでその後のユーザの手間を軽減することが可能である。
また、その際の録画予約には、番組表から指定する方法や、日時指定録画画面で指定する方法が考えられる。
また、保存した番組は、過去番組表等で表示することができる。
上記のように、丸録り（連続録画）は、ある一定時間がたてば自動削除されるが、保存した番組は消えないので、過去番組表で表示し続けることができる。
＜実施例３＞
図５は、実施形態に係わる録画装置に係り、予約された番組を丸録りと同時に、番組単位で記録する一例を示す図である。
例えば、ＣＰＵ・メモリなどのリソースが空いているときには、録画と同時に保存処理を行うこともできる。
ここでは、予約時に、予約番組のチャンネル・時間が指定される。
上記と同様に、チャンネル１、チャンネル２、チャンネル３、チャンネル４、チャンネル５にかかる複数の放送番組が丸録りされる。
また同時に、ユーザに指定された所望の番組に係る映像信号（ＴＳ）が上記のように抽出され、フォーマット変換手段５２で受信される。
フォーマット変換手段５２は、抽出された所望の番組に係る映像信号（ＴＳ）を受信し、番組単位で記録（保存）できるようにヘッダ情報等を付加し、フォーマット変換を行い、フォーマット変換された映像信号を出力する。
【００４０】
番組単位のファイル作成／保存手段５３は、フォーマット変換された映像信号を受信し、番組単位でファイルを作成し、録画装置１６や外部記憶装置１８に記録（保存）する。
【００４１】
これにより、例えば、ＣＰＵ・メモリなどのリソースが空いているときには、録画と同時に保存処理を行うことが可能になる。
図６は、実施形態に係わる録画装置に係り、丸録りされた複数の番組から、ユーザに指定された所定の番組を再生し、再生に連動して番組単位で記録する動作を示すフローチャートである。
【００４２】
符号S１０は、ここでの開始ステップである。続いて符合Ｓ１１を付したステップへ進む。
符号S１１は、複数のチューナ３で複数の放送番組を同時に受信し、録画装置１６に、連続的に、録画（コンテンツを”丸録り”） するステップである。続いて符合Ｓ１２を付したステップへ進む。
【００４３】
符号S１２は、”丸録り”された複数の番組から過去番組表を作成し、表示装置８に表示ステップである。続いて符合Ｓ１３を付したステップへ進む。
符号S１３は、ユーザが”所定の番組”を選択し、番組再生の入力／指示が行われるステップである。続いて符合Ｓ１４を付したステップへ進む。
符号S１４は、”丸録り”された複数の番組データ（連続録画フォーマット：ＴＳ）から、”所定の番組”のデータを切り出し、デコードするステップである。続いて符合Ｓ１５を付したステップへ進む。
【００４４】
符号S１５は、選択された”所定の番組”を表示装置８に再生表示するステップである。続いて符合Ｓ１６を付したステップへ進む。
符号S１６は、番組再生に連動し、切り出された”所定の番組”のデータ（ＴＳ）を、フォーマット変換（ヘッダ情報（時間情報等）を付与し、編集）するステップである。続いて符合Ｓ１７を付したステップへ進む。
【００４５】
符号S１７は、番組単位でファイルを作成するステップである。続いて符合Ｓ１８を付したステップへ進む。
符号S１８は、ブックマークを設定するステップである。続いて符合Ｓ１９を付したステップへ進む。
符号S１９は、番組単位で、”所定の番組”を録画装置１６に保存するステップである。続いて符合Ｓ２０を付したステップへ進む。
符合Ｓ２０は終了ステップであり、ここでの処理は終了する。
これにより、丸録りされた複数の番組から抽出された所望の番組を、自動的に、番組単位で保存することが可能になる。
図７は、実施形態に係わる録画装置に係り、丸録りされた複数の番組から、録画予約された番組を番組単位で記録する動作を示すフローチャートである。
符号S２０は開始ステップである。続いて符合Ｓ２１を付したステップへ進む。
符号S２１は、”所定の番組”の録画予約するステップである。続いて符合Ｓ２２を付したステップへ進む。
符号S２２は、複数のチューナ３で複数の放送番組を同時に受信し、録画装置１６へ、連続的に録画（コンテンツを”丸録り”）するステップである。続いて符合Ｓ２３を付したステップへ進む。
【００４６】
符号S２３は、録画予約された番組は”丸録り”で録画されたか？を検出するステップである。録画予約された番組は”丸録り”で録画されたと検出された場合は、符合Ｓ２４を付したステップへ進む（Ｙｅｓ）。録画予約された番組は”丸録り”で録画されたと検出されない場合は、符合Ｓ２３を付したステップへ進み、上記処理が繰り返される（Ｎｏ）。
【００４７】
符号S２４は、”丸録り”された複数の番組データから、予約された番組のデータ（ＴＳ）を切り出すステップである。続いて符合Ｓ２５を付したステップへ進む。
符号S２５は、切り出された予約番組データ（ＴＳ）をフォーマット変換（ヘッダ情報（時間情報等）を付与し、編集）するステップである。続いて符合Ｓ２６を付したステップへ進む。
【００４８】
符号S２６は、番組単位でファイルを作成ステップである。続いて符合Ｓ２７を付したステップへ進む。
符号S２７は、番組単位で、”所定の番組”を録画装置１６に保存するステップである。続いて符合Ｓ２８を付したステップへ進む。
符号Ｓ２８は終了ステップであり、ここでの処理は終了する。
上記のように構成することによって、丸録りされた状態の複数の番組の中から、ユーザが録画予約した所望の番組を、自動的に、番組単位で保存することが可能になる。
【００４９】
上記説明した実施形態によれば、複数チューナから同時録画（丸録り）した番組を、長期保存するための保存処理について、ユーザが改めて操作することなく、改めて時間を要せずに番組単位で保存処理を行うことができる。
【００５０】
上記実施の形態においては、放送番組を丸録りした場合、ある程度時間が経過すると、所望の録画番組が消されてしまうという課題を解消することが可能になる。
なお、上記実施形態は、記述そのものに限定されるものではなく、実施段階では、その趣旨を逸脱しない範囲で、構成要素を種々変形して具体化することが可能である。
【符号の説明】
【００５１】
１…映像表示装置（録画装置）、２…アンテナ、３ａ…チューナ、３b…チューナ、３c…チューナ、３d…チューナ、３e…チューナ、３f…チューナ、４…信号処理部、５…映像処理部、６…音声処理部、７…表示処理部、８…表示装置、９…スピーカ、１０…バス、１１…制御部、１２…ＭＰＵ、１３…ＲＡＭ、１４…ＲＯＭ、１５…フラッシュメモリ、１６…録画装置、１７…外部インターフェース、１８…外部記憶装置、１９…操作受信部、２０…操作機器（リモートコントローラ）、２１…送受信部、２２…録画番組表生成部、２３…番組表作成部、２５ａ…放送局、２５ｂ…放送局、２６…インターネット、３１…チャンネル欄、３２…日時欄、３３ａ…チャンネル表示、３３ｂ…チャンネル表示、３３ｃ…チャンネル表示、３３ｄ…チャンネル表示、３３ｅ…チャンネル表示、３３ｆ…チャンネル表示、３３ｇ…チャンネル表示、３３ｈ…チャンネル表示、３４ａ…日時表示、３４ｂ…日時表示、３４ｃ…日時表示、３４ｄ…日時表示、３４ｅ…日時表示、３４ｆ…日時表示、３５…過去番組表表示例、３６ａ…記録番組の動画表示、３６ｂ…記録番組の動画表示、３６ｃ…記録番組の動画表示、３６ｄ…記録番組の動画表示、３６ｅ…記録番組の動画表示、３６ｆ…記録番組の動画表示、３６ｇ…記録番組の動画表示、３６ｈ…記録番組の動画表示、３７…現在の日時表示。
【図１】
2011239300.tif 000003
【図２】
2011239300.tif 000004
【図３】
2011239300.tif 000005
【図４】
2011239300.tif 000006
【図５】
2011239300.tif 000007
【図６】
2011239300.tif 000008
【図７】
2011239300.tif 000009
【図８】
2011239300.tif 000010